(57)【特許請求の範囲】
【請求項１】
１／１０００秒桁までを計時する電子時計であって、
３２．７６８ｋＨｚのカウントクロックを３３回カウントすることによって１／１０００秒とする第１の１／１０００秒を３回カウントし、
３２．７６８ｋＨｚのカウントクロックを３２回カウントすることによって１／１０００秒とする第２の１／１０００秒を１回カウントするパターンを第１のカウントパターンとし、
前記第１の１／１０００秒を４回カウントし、前記第２の１／１０００秒を１回カウントするパターンを第２のカウントパターンとして、
前記第１のカウントパターンを２回実行した後に前記第２のカウントパターンを１回実行する第３のカウントパターンを４回繰り返して実行し、その後、前記第１のカウントパターンを１回実行した後、前記第３のカウントパターンを５回繰り返し実行し、その後、前記第１のカウントパターンを１回実行するように構成して１／８秒となるテーブルを備え、
３２．７６８ｋＨｚのカウントクロックを入力し、入力された当該カウントクロックを用いて前記テーブルを参照して１／１０００秒桁までを計時することを特徴とする電子時計。
【請求項２】
１／１０００秒桁までを計時する電子時計であって、
３２．７６８ｋＨｚのカウントクロックを３３回カウントすることによって１／１０００秒とする第１の１／１０００秒を３回カウントし、
３２．７６８ｋＨｚのカウントクロックを３２回カウントすることによって１／１０００秒とする第２の１／１０００秒を１回カウントするパターンを第１のカウントパターンとし、
前記第１の１／１０００秒を４回カウントし、前記第２の１／１０００秒を１回カウントするパターンを第２のカウントパターンとして、
前記第１のカウントパターンを２回実行した後に前記第２のカウントパターンを１回実行する第３のカウントパターンを９回繰り返して実行し、その後、前記第１のカウントパターンを２回繰り返して実行するように構成して１／８秒となるテーブルを備え、
３２．７６８ｋＨｚのカウントクロックを入力し、入力された当該カウントクロックを用いて前記テーブルを参照して１／１０００秒桁までを計時することを特徴とする電子時計。
【請求項３】
１／１０００秒桁までを計時する電子時計であって、
３２．７６８ｋＨｚのカウントクロックを３３回カウントすることによって１／１０００秒とする第１の１／１０００秒を３回カウントし、
３２．７６８ｋＨｚのカウントクロックを３２回カウントすることによって１／１０００秒とする第２の１／１０００秒を１回カウントするパターンを第１のカウントパターンとし、
前記第１の１／１０００秒を４回カウントし、前記第２の１／１０００秒を１回カウントするパターンを第２のカウントパターンとして、
前記第１のカウントパターンを２回実行した後に前記第２のカウントパターンを１回実行する第３のカウントパターンを４回繰り返して実行し、その後、前記第１のカウントパターンを１回実行した後、前記第３のカウントパターンを５回繰り返し実行し、その後、前記第１のカウントパターンを１回実行するように構成して１／８秒となるテーブルを８個つなげた１秒となるテーブルを備え、
３２．７６８ｋＨｚのカウントクロックを入力し、入力された当該カウントクロックを用いて前記テーブルを参照して１／１０００秒桁までを計時することを特徴とする電子時計。
【発明の詳細な説明】
【技術分野】
【０００１】
この発明は、１／１０００秒桁までを計時する電子時計に関する。
【背景技術】
【０００２】
従来から、１／１０００秒桁を計時することができるクロノグラフ機能を備えた電子時計が存在した（たとえば、下記特許文献１を参照。）。
【０００３】
この特許文献１にかかる電子時計では、できるだけ簡素な構成で１／１０００秒の桁の計時をおこなうため、１／１０００用に１０２４Ｈｚのクロックを別途用意し、２５６Ｈｚからカウントした１／１００秒以上の桁とは別にカウントした上で、それぞれを組み合わせて表示をおこなっている。そして、論理緩急（以下「Ｄｆ調」という）に起因するずれや、理想の１０００Ｈｚと実際の１０２４Ｈｚとのずれについては、１／１００秒のカウントタイミングごとに１／１０００秒カウンタをクリアすることで解消する。
【先行技術文献】
【特許文献】
【０００４】
【特許文献１】特開２００９−２１０２６７号公報
【発明の概要】
【発明が解決しようとする課題】
【０００５】
しかしながら、上述した従来の電子時計での１０００Ｈｚの作成は、比較的簡単な回路構成で実現できているものの、１／１００秒同期で１／１０００秒カウンタをクリアするために、この桁上げ部分でのカウントが不均一になり、計時精度が不十分になる虞があるという問題点があった。
【０００６】
この発明は、上述した従来技術による問題点を解消するため、より正確に１／１０００秒桁までの計時をすることができる電子時計を提供することを目的とする。
【課題を解決するための手段】
【０００７】
上述した課題を解決し、目的を達成するため、この発明にかかる電子時計は、１／１０００秒桁までを計時する電子時計であって、３２．７６８ｋＨｚのカウントクロックを３３回カウントすることによって１／１０００秒とする第１の１／１０００秒と、３２．７６８ｋＨｚのカウントクロックを３２回カウントすることによって１／１０００秒とする第２の１／１０００秒と、をそれぞれ所定回数ずつ所定の順序により組み合わせて１／８秒となるテーブルを備え、３２．７６８ｋＨｚのカウントクロックを入力し、入力された当該カウントクロックを用いて前記テーブルを参照して１／１０００秒桁までを計時することを特徴とする。
【０００８】
また、この発明にかかる電子時計は、上記の発明において、前記所定回数が、前記第１の１／１０００秒が９６回であって、前記第２の１／１０００秒が２９回であることを特徴とする。
【０００９】
また、この発明にかかる電子時計は、上記の発明において、前記テーブルが、前記第１の１／１０００秒を３回カウントし、前記第２の１／１０００秒を１回カウントするパターンを第１のカウントパターンとし、前記第１の１／１０００秒を４回カウントし、前記第２の１／１０００秒を１回カウントするパターンを第２のカウントパターンとして、前記第１のカウントパターンを２０回と、前記第２のカウントパターンを９回とを、所定の順序により組み合わせて構成されていることを特徴とする。
【００１０】
また、この発明にかかる電子時計は、上記の発明において、前記テーブルが、前記第１のカウントパターンを２回実行した後に前記第２のカウントパターンを１回実行する第３のカウントパターンを４回繰り返して実行し、その後、前記第１のカウントパターンを１回実行した後、前記第３のカウントパターンを５回繰り返し実行し、その後、前記第１のカウントパターンを１回実行するように構成されていることを特徴とする。
【００１１】
また、この発明にかかる電子時計は、上記の発明において、前記テーブルが、前記第１のカウントパターンを２回実行した後に前記第２のカウントパターンを１回実行する第３のカウントパターンを９回繰り返して実行し、その後、前記第１のカウントパターンを２回繰り返して実行するように構成されていることを特徴とする。
【００１２】
また、この発明にかかる電子時計は、１／１０００秒桁までを計時する電子時計であって、３２．７６８ｋＨｚのカウントクロックを３２回カウントすることによって１／１０００秒とする第１の１／１０００秒と、３２．７６８ｋＨｚのカウントクロックを３３回カウントすることによって１／１０００秒とする第２の１／１０００秒と、をそれぞれ所定回数ずつ所定の順序により組み合わせて１秒となるテーブルを備え、３２．７６８ｋＨｚのカウントクロックを入力し、入力された当該カウントクロックを用いて前記テーブルを参照して１／１０００秒桁までを計時することを特徴とする。
【００１３】
また、この発明にかかる電子時計は、上記の発明において、前記所定回数が、前記第１の１／１０００秒が７６８回であって、前記第２の１／１０００秒が２３２回であることを特徴とする。
【発明の効果】
【００１４】
この発明にかかる電子時計によれば、３２．７６８ｋＨｚのカウントクロックを用いて、より正確に１／１０００秒桁までの計時をすることができるという効果を奏する。
【図面の簡単な説明】
【００１５】
【図１】この発明に係る実施の形態の電子時計の外観の一例を示す説明図である。
【図２】カウントクロックの周波数と時間との関係を示す説明図である。
【図３】１秒を構成するカウントクロックの回数を示す説明図である。
【図４】１／８秒を構成するカウントクロックの回数を示す説明図である。
【図５】カウントクロックとカウントパターンとの関係を示す説明図である。
【図６】カウントパターンの順序の一例を示す説明図（その１）である。
【図７】カウントパターンの順序の別の一例を示す説明図（その２）である。
【図８】カウント値テーブルの一例を示す説明図である。
【図９】この発明にかかる実施の形態の電子時計の回路構成を示す説明図である。
【図１０】この発明に係る実施の形態の電子時計における１／１０００秒桁計時の動作手順を示すフローチャートである。
【発明を実施するための形態】
【００１６】
以下に添付図面を参照して、この発明にかかる電子時計の好適な実施の形態を詳細に説明する。
【００１７】
（電子時計の外観）
図１は、この発明に係る実施の形態の電子時計の外観の一例を示す説明図である。図１において、腕時計型の電子時計は、本体１００と、本体１００をたとえば腕に装着するためのバンド１０１とから構成される。本体１００の外周には、りゅうず１０２および複数の操作ボタン１０３（１０３ａ、１０３ｂ、１０３ｃ）を備えている。
【００１８】
本体１００の表示部分には、通常時刻を示す通常指針（分針１０４、時針１０５、秒針１０６）とを備える。通常指針は、秒針１０６が秒周期で回転、すなわち６０秒で１回転（１周）する。分針１０４が分周期で回転、すなわち６０分で１回転（１周）する。時針１０５が時周期で回転、すなわち１２時間で１回転（１周）する。これらの指針（分針１０４、時針１０５、秒針１０６）によって通常時刻を表示する。
【００１９】
また、本体１００の表示部分には、通常指針のほかに、クロノグラフ用の１２時間積算計（１２時間計）１０７、クロノグラフ用の６０分積算計（６０分計）１０８、クロノグラフ用の１／１０秒および１／１００秒計（１／１０、１／１００秒計）１０９、クロノグラフ用の１／１０００秒計（１／１０００計）１１０をそれぞれ備えている。秒針１０６は、通常時刻を表示するとともに、クロノグラフ用の１秒計としても機能する。１２時間計１０７は、１２時間針１１１を備え、１２時間針１１１が１２時間で１周する。また、６０分計１０８は、６０分針１１２を備え、６０分針１１２が６０分で１周する。
【００２０】
１／１０秒、１／１００秒計１０９は、１／１０秒桁を表示する短針１１３と１／１００秒桁を表示する長針１１４とから構成される。１／１０秒、１／１００秒計１０９は、１／１０秒桁と１／１００秒桁を同時に表示する。短針１１３が、内側の目盛り（「．０」〜「．９」）を指し示し、スタートと同時に回転を開始し、０．１秒ごとに１０分割された１目盛り分だけ回転し、１秒間で１回転（１周）するとともに、ストップによっていずれかの目盛りで停止することで、１／１０秒桁を表示する。また、長針１１４が、外側の目盛り（「．００」〜「．０９」）を指し示し、スタートと同時に回転を開始し、０．１秒間で１回転（１周）するとともに、ストップによっていずれかの目盛りで停止することで、１／１００秒桁を表示する。
【００２１】
１／１０秒、１／１００秒計１０９の短針１１３および長針１１４は、電池の節約のため、スタートから所定時間（たとえば３０秒）が経過すると自動的に停止するように構成してもよい。その場合は、短針１１３および長針１１４は、ストップが検知された場合に、計測された所定のメモリまで時計回り（または反時計回り）により移動する。
【００２２】
１／１０００秒計１１０は、１０つの目盛りと数字（「．０００」、「２（．００２を示している）」、「４（．００４を示している）」、「６（．００６を示している）」、「８（．００８を示している）」と１／１０００秒指針１１５とから構成される。１／１０００秒指針１１５が、目盛りの間を移動し、いずれかの目盛りにおいて停止することで、１／１０００秒桁を表示する。１／１０００秒指針１１５は、通常、「０．０００」の位置で停止しており、スタートと同時には回動せず、ストップを検知した場合に計測された所定の目盛りまで反時計回りにより移動して停止する。
【００２３】
また、リスタートを検知した場合には、１／１０００秒指針１１５はそのまま移動せず、再びストップを検知した場合、計測された所定のメモリまで反時計回りまたは時計回りにより移動して停止する。１／１０００秒指針１１５は、リスタート／ストップを繰り返す間、同様の動作を繰り返す。そして、リセットされると再び「０．０００」の位置まで、時計回りで移動して停止する。
【００２４】
通常時刻を表示中に、クロノグラフモードに設定される（具体的には、操作ボタン（モード変更ボタン）１０３ｃが押下される）と、秒針１０６が１２時の位置に高速に移動するとともに、１２時間計１０７の１２時間針１１１が１２時の位置（「１２」の数字の位置）へ、６０分計１０８の６０分針１１２が１２時の位置（「６０」の数字の位置）へ、１／１０秒、１／１００秒計１０９の短針１１３が１２時の位置（「．０」の位置）」へ、長針１１４が１２時の位置（「０．００」の位置）へ、高速で移動する。１／１０００秒計１１０の１／１０００秒指針１１５は、元々「０．０００」の位置にあるので、移動はしない。
【００２５】
図１では、１２時間計１０７の１２時間針１１１が「５（時間）」を示し、６０分計１０８の６０分針１１２が「５０（分）」を示し、秒針１０６が「３８秒」を示している。また、１／１０秒、１／１００秒計１０９の短針１１３が１／１０秒、１／１００秒計１０９内側の数字の「．２」を示すとともに、長針１１４が１／１０秒、１／１００秒計１０９の外側の数字の「．０１」を示しており、１／１０００秒計１１０の１／１０００秒指針１１５が「０．００４」を示している。このことから、計時結果は、「５時間５０分３８．２１４秒」であることがわかる。
【００２６】
このように、秒針１０６と、１２時間計１０７と、６０分計１０８と、１／１０秒、１／１００秒計１０９と、１／１０００秒計１１０とを用いることによって、指針により１／１０００秒桁までの計時結果を表示することが可能なクロノグラフ機能を実現することができる。
【００２７】
（１／１０００秒の作成方法）
つぎに、この発明にかかる実施の形態の電子時計（特にクロノグラフ機能）において用いる１／１０００秒の作り方について説明する。図２は、カウントクロックの周波数と時間との関係を示す説明図である。図２において、１／１０００秒を作る際の間引き方法について説明する。
【００２８】
図２に示すように、周波数が３２．７６８ｋＨｚ（３２７６８ＨＺ）を源振（カウントクロック）とする場合、カウントクロック「１発」の時間は、３０．５１７５７８１２μｓ（≒０．０３０５１８ｍｓ）である。厳密にはこのカウントクロックが３２．７６８発で、１／１０００秒（１ｍｓ）となることから、カウントクロックが「３２発」では、０．９７６５６３ｍｓとなり、カウントクロックが「３３発」では、１．００７０８０ｍｓとなる。
【００２９】
したがって、カウントクロックが「３２発」あるいは「３３発」のいずれかのみを用いたのでは、正確に１／１０００秒を計時することはできない。そこで、カウントクロックが「３２発」と「３３発」とをそれぞれ所定回数ずつ組み合わせることで、正確に１秒となるようにする。
【００３０】
図３は、１秒を構成するカウントクロックの回数を示す説明図である。図３に示すように、「３２発」が２３２回で、「３３発」が７６８回として、これらの回数をあわせて１０００回とすると、その時間は、１０００．００００００ｍｓ（１秒）となる。さらに、２３２回、７６８回とも、「８」で割り切れるので、周期化し、８周期で１秒となるようにすることができる。
【００３１】
図４は、１／８秒を構成するカウントクロックの回数を示す説明図である。図４に示すように、「３２発」が２９（２３２／８）回で、「３３発」が９６（７６８／８）回とすると、これらの回数をあわせて１２５（１０００／８）回となり、その時間は、１２５．００００００ｍｓ（１/８秒）となる。
【００３２】
２９回と９６回とでは、
「９６（回）／２９（回）＝３  余り９（回）」・・・（式１）
となるので、「３３発」と「３２発」とでは、ほぼ「３：１」の関係である。そこで、「３３（発）」×３回＋「３２（発）」×１回のパターン（このパターンを「第１のカウントパターン（パターン『３』）」とする）を基本のパターンとする。そして、余りの「９」について、
「２９（回）／９（回））＝３  余り２（回）」・・・（式２）
となるので、「３３（発）」×４回＋「３２（発）」×１回のパターン（このパターンを「第２のカウントパターン（パターン『４』）」とする）を、第１のカウントパターン（パターン『３』）が３回に１回の割合で挿入する。
【００３３】
図５は、カウントクロックとカウントパターンとの関係を示す説明図である。図５において、上段は、後述するカウント値テーブル８００のアドレス（１／１０００秒を示している）であり、下段は、カウントクロックが「３２発」なのか「３３発」なのかを示している。図５においては、第１番目から第３番目までのアドレス（上段のアドレス「１」、「２」、「３」）ではカウントクロックが「３３発」であり、第４番目のアドレス（上段のアドレス「４」）ではカウントクロックが「３２発」である。このように、カウントクロックが「３３発」が３回と、カウントクロックが「３２発」１回を、上述のように、パターン『３』（第１のカウントパターン）としている。
【００３４】
そして、パターン『３』が２回（１回目が第１番目から第４番目まで、２回目が第５番目から第８番目まで）続いた後に、カウントクロック「３３発」は４回（第９番目から第１２番目までのアドレス）とカウントクロック「３２発」１回（第１３番目のアドレス）を、上述のように、パターン『４』（第１のカウントパターン）としている。基本的には、パターン『３』が２回とパターン『４』が１回を繰り返すことで、より正確に１／８秒となるように１／１０００秒桁までを計時することができる。
【００３５】
図６および図７は、カウントパターンの順序の一例を示す説明図である。図６において、上段は、２９回あるセット番号を示している。また、下段の「３」は上述した「パターン『３』」を示しており、「４」は上述した「パターン『４』」を示している。上述の説明のとおり、パターン『３』が２回を続けて実行したのちにパターン『４』が１回実行し、その後、再びパターン『３』が２回、パターン『４』が１回を繰り返し実行する。
【００３６】
１周期（１／８秒）に２９回ある「３２（発）」を均等配置し、その間に「３３（発）」を挿入すると、図６のようになる。この１周期（１／８秒）を８回繰り返すことによって、１秒を構成することができる。このように、基本周期を設定することにより、カウント値テーブル８００のテーブルサイズを抑えながら安定した計時精度を確保することができる。
【００３７】
図６に示すように、「パターン『３』」→「パターン『３』」→「パターン『４』」（このパターンを「第３のカウントパターン」とする）、『３』→『３』→、『４』、・・・となるように、第３のカウントパターンを９回繰り返して実行し、最後の２８セット目および２９回セット目は、「パターン『３』」→「パターン『３』」となるように、第１のカウントパターンを２回繰り返して実行する。この２８セット目および２９セット目の「パターン『３』」は、式（２）の「余り２」に該当する。
【００３８】
ただし、これでは、周期を連続させた場合に、周期のつなぎ目で、パターン『３』が４回連続してしまうことになる。そこで、図７に示すように、パターン『３』が４回連続しないようにするために、パターン『３』の一つを２９回のセットのほぼ真ん中の１３セット目に挿入するようにしてもよい。すなわち、第３のカウントパターンを４回繰り返して実行し、その後、第１のカウントパターンを１回実行した後、第３のカウントパターンを５回繰り返し実行し、その後、第１のカウントパターンを１回実行するように構成してもよい。
【００３９】
図７からもわかるように、１３セット目から１５セット目までと、２９セット目（最終セット）からつぎの周期の最初の２セット目までは、パターン『３』が３回連続するが、周期を連続させたとしても、パターン『３』が４回連続することは回避することができる。このように、「３２（発）」の挿入位置が、いずれのタイミングでもより略均一になるように構成することができる。
【００４０】
図８は、カウント値テーブルの一例を示す説明図である。図８は、図７に示した１周期（１／８秒、２９セット）を８個つなげて、１秒を構成したものである。このように図８のカウント値テーブル８００を参照することで、より正確に、３２．７６８ｋＨｚのカウントクロックを用いて、正確に１秒となり、どのタイミングで止められても１／１０００秒桁まで計測精度を高めることができる。
【００４１】
また、上記の方法では１２５／１０００秒ごとにカウント値テーブル８００がループし、「３２」、「３３」カウントの処理がこの周期で繰り返されるため、たとえば小数点以下が『００４』となる確率は１／１０００より若干小さくなる。また、１／１０００の桁が『０』『５』になる確率は他よりも小さくなる。
【００４２】
そこで、図示は省略するが、ループごとにカウント値テーブル８００を１つずつずらすようにしてもよい。このようにすることで、たとえば何らかの信号と１秒周期とのズレ量の統計を取りたい場合など、数字に偏りが生じると問題がある場合にも正確に計時することができる。
【００４３】
（電子時計の回路構成）
つぎに、この発明にかかる実施の形態の電子時計の回路構成について説明する。図９は、この発明にかかる実施の形態の電子時計の回路構成を示す説明図である。図９において、発振回路（ＯＳＣ）９０１から、時計用回路のクロック作成用の前段ＦＦ（Ｆ０Ａ・Ｆ０Ｂ・Ｆ０Ｃ）９０２と、クロノ用回路のクロック作成用のアンド回路９０６へそれぞれ、２６２ｋＨｚのクロックを出力する。
【００４４】
時計用回路のクロック作成用の前段ＦＦ９０２において、２６２ｋＨｚクロックを３２ｋＨｚクロックに分周する。その際、論理周波数調整（Ｄｆ調）回路９０３によって、完全なＤｆ調データを含んで、分周回路（ＤＩＶ）９０４へ出力する。出力された３２ｋＨｚのクロックを、Ｄｆ調回路９０３によるＤｆ調をおこなう分周回路（ＤＩＶ）９０４において分周し、さらに、Ｄｆ調をおこなわない別の分周回路（ＤＩＶ）９０５において分周することで１Ｈｚ（１秒）のクロックとする。この１Ｈｚのクロックを時刻系、すなわち通常時刻の計時用として、図示を省略する時計用回路へ出力する。
【００４５】
一方、クロノラン信号（クロノモードのラン状態を示す信号）がアンド回路９０６に入力されると、２６２ｋＨｚのクロックを、クロノ用回路のクロック作成用の前段ＦＦ（Ｆ０Ａ・Ｆ０Ｂ・Ｆ０Ｃ）９０７へ入力し、２６２ｋＨｚを３２ｋＨｚ（正確には３２．７６８ｋＨｚ）に分周し、１０００Ｈｚ（１／１０００秒）カウンタ９０８へ出力する。クロノ用回路のクロック作成用の前段ＦＦ９０７は、図示を省略する同期回路部へＲＴＬ（Ｒｅｇｉｓｔｅｒ  Ｔｒａｎｓｆｅｒ  Ｌｅｖｅｌ）クロックを出力する。そのため、Ｄｆ調回路９０３によるＤｆ調をおこなわない。これによって、３２ｋＨｚまで完全に一定のクロックとなるため、同期回路部クロック（６５ｋＨｚ）にひずみが生じることなく、安定した動作を確保することができる。
【００４６】
１０００Ｈｚカウンタ９０８では、Ｄｆ調回路９０３によるＤｆ調をおこなう。これによって、Ｄｆ調に起因する時刻系とのずれが大きくならなくて済む。また、Ｄｆ調のかかる瞬間でも１／１０００秒の制度を維持することができる。ただし、Ｄｆ調の調整可能量が１００ｐｐｍを超えると、瞬間誤差が１ｍｓを超えることになるので、Ｄｆ調の調整可能量は１００ｐｐｍを超えない範囲とする。
【００４７】
１０００Ｈｚカウンタ９０８から１０００Ｈｚのクロックを出力し、出力された１０００Ｈｚのクロックをアドレスカウンタ９０９へ入力する。アドレスカウンタ９０９は、１０００Ｈｚのクロックが入力されるごとに、１０００Ｈｚのクロックが入力されるタイミングで、カウント値テーブル８００のアドレス値をカウント（インクリメント）し、そのアドレス値を出力する。
【００４８】
図８においてその内容を示したカウント値テーブル８００は、アドレスカウンタ９０９から出力されたアドレス値に対応するカウント値（「３２」または「３３」）を１０００Ｈｚカウンタ９０８へ出力する。カウント値の出力は、具体的には、たとえば「３２」であれば間引き信号＝Ｈを出力し、それ以外の値（「３３」）であれば間引き信号＝Ｌを出力する。
【００４９】
１０００Ｈｚカウンタ９０８は、カウント値テーブル８００からのカウント値（間引き信号）に基づいて、「３２」（間引き信号＝Ｈ）であれば、クロックを３２発で１／１０００秒（１０００Ｈｚ）信号を出力し、「３３」（間引き信号＝Ｌ）であれば、クロックを３３発で１／１０００秒（１０００Ｈｚ）信号を出力する。出力された１／１０００秒信号（１０００Ｈｚ）は、図示を省略するクロノ用回路へ出力されるとともに、アドレスカウンタ９０９へも出力する。
【００５０】
１０００Ｈｚカウンタ９０８からの１／１０００秒（１０００Ｈｚ）信号の出力、アドレスカウンタ９０９によるアドレスのカウントおよびカウント値テーブル８００からのカウント値の出力は、クロノラン信号がアンド回路９０６に入力されている間、継続して繰り返し実行する。これによって、クロノグラフにおける１／１０００秒桁までの計時を可能とする。
【００５１】
（１／１０００秒桁計時の動作手順）
図１０は、この発明に係る実施の形態の電子時計における１／１０００秒桁計時の動作手順を示すフローチャートである。図１０のフローチャートにおいて、まず、クロノグラフ機能を実行するクロノモードのリセット状態において、クロノ・スタートになったか否かを判断する（ステップＳ１００１）。具体的には、たとえば、クロノモードのリセット状態において、操作ボタン（スタートボタン）１０３ａが押下されたか否かによって判断する。
【００５２】
ステップＳ１００１において、クロノ・スタートになるのを待って（ステップＳ１００１：Ｎｏ）、スタートになった場合（ステップＳ１００１：Ｙｅｓ）は、クロノモードのリセット状態からラン状態となる。そして、図８に示したカウント値テーブル８００から最初のアドレスのカウント値（図８においては、「３３」）を抽出する（ステップＳ１００２）。
【００５３】
つぎに、抽出されたカウント値が「３３」であるのか「３２」であるのかを判断する（ステップＳ１００３）。ここで、抽出されたカウント値が「３３」である場合（ステップＳ１００３：「３３」）は、３３発の３２．７６８ｋＨｚのカウントクロックで１／１０００秒信号を出力する（ステップＳ１００４）。一方、抽出されたカウント値が「３２」である場合（ステップＳ１００３：「３２」）は、３２発の３２．７６８ｋＨｚのカウントクロックで１／１０００秒信号を出力する（ステップＳ１００５）。
【００５４】
そして、クロノモードのラン状態は継続し、この状態において、クロノ・ストップになったか否かを判断する（ステップＳ１００６）。具体的には、たとえば、クロノモードのラン状態において、再び操作ボタン（スタートボタン）１０３ａが押下されたか否かによって判断する。
【００５５】
ステップＳ１００６において、クロノ・ストップとならなかった場合（ステップＳ１００６：Ｎｏ）は、ステップＳ１００４またはステップＳ１００５において出力された１／１０００秒信号に基づいて、１／１０００秒をカウントし（ステップＳ１００７）、つぎに、カウント値が抽出したアドレスが最後のアドレスであったか、すなわち、アドレス値＝「１０００」であったか否かを判断する（ステップＳ１００８）。
【００５６】
ステップＳ１００８において、カウント値が抽出されたアドレスが最後のアドレスではなかった場合（ステップＳ１００８：Ｎｏ）は、上記カウント値テーブル８００からつぎのアドレスのカウント値を抽出し（ステップＳ１００９）、ステップＳ１００３へ戻る。その後ステップＳ１００３〜Ｓ１００９の各ステップを繰り返し実行する。
【００５７】
一方、ステップＳ１００８において、カウント値が抽出されたアドレスが最後のアドレスであった場合（ステップＳ１００８：Ｙｅｓ）は、ステップＳ１００２に戻って、再び、カウント値テーブル８００から最初のアドレスのカウント値（図８においては、「３３」）を抽出し（ステップＳ１００２）、その後、ステップＳ１００３〜Ｓ１００９の各ステップを繰り返し実行する。
【００５８】
これらの処理は、ステップＳ１００６において、クロノ・ストップとなるまで継続する。ステップＳ１００６において、クロノ・ストップとなった場合（ステップＳ１００６：Ｙｅｓ）は、クロノモードのストップ状態となる。その後、クロノ・リスタートになったか否かを判断する（ステップＳ１０１０）。具体的には、クロノモードのストップ状態において、再び操作ボタン（スタートボタン）１０３ａが押下されたか否かによって判断する。
【００５９】
ステップＳ１０１０において、クロノ・リスタートになった場合（ステップＳ１０１０：Ｙｅｓ）は、再びクロノモードのストップ状態からラン状態となり、ステップＳ１００７へ移行する。そして、以後、ステップＳ１００７以降の各ステップを繰り返し実行する。
【００６０】
ステップＳ１０１０において、クロノ・リスタートにならなかった場合（ステップＳ１０１０：Ｎｏ）は、クロノモードのストップ状態が継続し、つぎに、クロノ・リセットとなったか否かを判断する（ステップＳ１０１１）。ここで、クロノ・リセットとならなかった場合（ステップＳ１０１１：Ｎｏ）は、ステップＳ１０１０へ戻り、クロノモードのストップ状態が継続する。一方、ステップＳ１０１１において、クロノ・リセットとなった場合（ステップＳ１０１１：Ｙｅｓ）は、クロノモードのストップ状態からリセット状態となり、ステップＳ１００１へ戻る。
【００６１】
また、図１０のフローチャートにおいては、図示を省略しているが、クロノモードのラン状態において、クロノ・リセットとなった場合も、クロノモードのリセット状態となり、ステップＳ１００１へ戻る。また、同様に図示を省略しているが、クロノモードのラン状態において、所定時間（たとえば１２時間）、クロノ・ストップにもクロノ・リセットにもならなかった場合にも、強制的にクロノモードのリセット状態となり、ステップＳ１００１へ戻るようにしてもよい。クロノグラフ機能では、最長１２時間までしか計測できないので、１２時間経過後は、強制的にリセットとするのがよい。
【００６２】
以上説明したように、この発明にかかる実施の形態の電子時計１００は、３２．７６８ｋＨｚのカウントクロックを３３回カウントすることによって１／１０００秒とする第１の１／１０００秒と、３２．７６８ｋＨｚのカウントクロックを３２回カウントすることによって１／１０００秒とする第２の１／１０００秒と、をそれぞれ所定回数ずつ所定の順序により組み合わせて１／８秒×８周期または１秒となるカウント値テーブル８００を備え、１０００ｋＨｚカウンタ９０８が３２．７６８ｋＨｚのカウントクロックを入力し、入力された３２．７６８ｋＨｚのカウントクロックを用いて、カウント値テーブル８００を参照して、１／１０００秒桁までを計時する。
【００６３】
その際の所定の回数は、第１の１／１０００秒が９６回であって、第２の１／１０００秒が２９回で１／８秒とする。また、所定の回数は、第１の１／１０００秒が７６８回であって、第２の１／１０００秒が２３２回で１秒とする。
【００６４】
このように構成することによって、この発明にかかる実施の形態の電子時計１００は、３２．７６８ｋＨｚのカウントクロックを用いて極力誤差の少ない１／１０００秒（１０００Ｈｚ）を作成することができる。
【００６５】
また、カウント値テーブル８００は、第１の１／１０００秒を３回カウントし、第２の１／１０００秒を１回カウントするパターンを「パターン『３』（第１のカウントパターン）」とし、第１の１／１０００秒を４回カウントし、第２の１／１０００秒を１回カウントするパターンを「パターン『４』（第２のカウントパターン）」として、「パターン『３』」を２０回と、「パターン『４』」を９回とを、所定の順序により組み合わせて構成する。
【００６６】
その所定の順序の一例として、図７に示したように、「パターン『３』」を２回実行した後に「パターン『４』」を１回実行する第３のカウントパターンを４回繰り返して実行し、その後、「パターン『３』」を１回実行した後、第３のカウントパターンを５回繰り返し実行し、その後、「パターン『３』」を１回実行するように構成する。
【００６７】
また、その所定の順序別の一例として、図６に示したように、「パターン『３』」を２回実行した後に「パターン『４』」を１回実行する第３のカウントパターンを９回繰り返して実行し、その後、「パターン『３』」を２回繰り返して実行するように構成する。
【００６８】
このように構成することによって、この発明にかかる実施の形態の電子時計１００は、「３２発」のクロックによる１／１０００秒信号と「３３発」のクロックによる１／１０００秒信号とが、いずれのタイミングでもより略均一になるように構成することができる。
【００６９】
本実施の形態にあっては、指針式の腕時計型の電子時計について説明したが、本発明は、これに限定されるものではなく、デジタル表示の電子時計などであってもよい。また、本発明は、腕時計に限定されるものではなく、時計機能を備えたあらゆる電子機器に用いることができる。
【産業上の利用可能性】
【００７０】
以上のように、この発明にかかる電子時計は、クロノグラフ機能を備えた電子時計において有用であり、特に、１／１０００秒桁まで計時可能な電子時計に適している。
【符号の説明】
【００７１】
１００  電子時計
１０３ａ  操作ボタン（スタート／ストップボタン）
１０３ｂ  操作ボタン（リセットボタン）
１０３ｃ  操作ボタン（モード変更ボタン）
１０７  クロノグラフ用の１２時間積算計（１２時間計）
１０８  クロノグラフ用の６０分積算計（６時間計）
１０９  クロノグラフ用の１／１０秒、１／１００秒計（１／１０秒、１／１００秒計）
１１０  クロノグラフ用の１／１０００秒計（１／１０００秒計）
１１５  １／１０００秒指針
８００  カウント値テーブル
９０８  １０００Ｈｚカウンタ
【図１】
0005922430.tif 000002
【図２】
0005922430.tif 000003
【図３】
0005922430.tif 000004
【図４】
0005922430.tif 000005
【図５】
0005922430.tif 000006
【図６】
0005922430.tif 000007
【図７】
0005922430.tif 000008
【図８】
0005922430.tif 000009
【図９】
0005922430.tif 000010
【図１０】
0005922430.tif 000011